(57)【要約】【課題】前枠に対する遊技盤の着脱時に、枠側ジョイント部と盤側ジョイント部とを介して前枠側と遊技盤側との電気系統を一括して容易且つ確実に着脱でき、しかも盤側コネクタに接続されたハーネスが邪魔にならずに遊技盤を容易に着脱できるようにする。【解決手段】枠側コネクタ７１ａ〜７１ｄを有する枠側ジョイント部７２を前枠３に設け、遊技盤６を遊技盤装着枠３０に対して着脱するときに、枠側コネクタ７１ａ〜７１ｄに前後方向に着脱する盤側コネクタ７３ａ〜７３ｄを有する盤側ジョイント部７４を遊技盤６の裏側に設け、盤側ジョイント部７４を保護する保護カバー１１０に、盤側コネクタ７３ａ〜７３ｄに接続されたハーネス７８ａ〜７８ｄを押えるハーネス押え部１１３を設ける。【選択図】  図４
2010253319.tif 000002
【特許請求の範囲】
【請求項１】
遊技盤（６）を前枠（３）の遊技盤装着枠（３０）に着脱自在に装着し、前記遊技盤（６）側と前記前枠（３）側とをコネクタ（７１ａ〜７１ｄ，７３ａ〜７３ｄ）を介して電気的に接続するようにした弾球遊技機において、枠側コネクタ（７１ａ〜７１ｄ）を有する枠側ジョイント部（７２）を前記前枠（３）に設け、前記遊技盤（６）を前記遊技盤装着枠（３０）に対して着脱するときに、前記枠側コネクタ（７１ａ〜７１ｄ）に前後方向に着脱する盤側コネクタ（７３ａ〜７３ｄ）を有する盤側ジョイント部（７４）を前記遊技盤（６）の裏側に設け、前記盤側ジョイント部（７４）を保護する保護カバー（１１０）に、前記盤側コネクタ（７３ａ〜７３ｄ）に接続されたハーネス（７８ａ〜７８ｄ）を押えるハーネス押え部（１１３）を設けたことを特徴とする弾球遊技機。
【請求項２】
前記遊技盤（６）の裏側の裏カバー（３５ｂ）の端部側に、該裏カバー（３５ｂ）の膨出部（１０５）よりも低い段部（１０６）を前記枠側ジョイント部（７２）に対応して設け、該段部（１０６）の裏側に前記盤側ジョイント部（７４）を配置したことを特徴とする請求項１に記載の弾球遊技機。
【請求項３】
前記段部（１０６）の裏側に、前記盤側コネクタ（７３ａ〜７３ｄ）及び前記ハーネス（７８ａ〜７８ｄ）が接続された中継基板（１０６ａ〜１０６ｃ）を装着し、前記保護カバー（１１０）に、該中継基板（１０６ａ〜１０６ｃ）を裏側から保護する基板保護部（１１２）と、前記ハーネス押え部（１１３）とを設けたことを特徴とする請求項２に記載の弾球遊技機。
【請求項４】
前記中継基板（１０６ａ〜１０６ｃ）の前記膨出部（１０５）側に前記ハーネス（７８ａ〜７８ｄ）を、前記膨出部（１０５）と反対側に前記盤側コネクタ（７３ａ〜７３ｄ）を夫々有し、前記保護カバー（１１０）は、前記中継基板（１０６ａ〜１０６ｃ）に裏側から当接する前記基板保護部（１１２）と、前記盤側コネクタ（７３ａ〜７３ｄ）と前記ハーネス（７８ａ〜７８ｄ）との間から後方に屈曲し且つ前記膨出部（１０５）との間で前記ハーネス（７８ａ〜７８ｄ）を押える前記ハーネス押え部（１１３）とを有することを特徴とする請求項２又は３に記載の弾球遊技機。
【請求項５】
前記基板保護部（１１２）は、該基板保護部（１１２）の端部側に対応する前記盤側コネクタ（７３ａ，７３ｄ）が近接して嵌合する切り欠き部（１１２ａ，１１２ｄ）と、中間部に対応する前記盤側コネクタ（７３ｂ，７３ｄ）が近接して嵌合する開口（１１２ｂ，１１２ｃ）とを有することを特徴とする請求項４に記載の弾球遊技機。
【発明の詳細な説明】
【技術分野】
【０００１】
本発明は、パチンコ機等の弾球遊技機に関するものである。
【背景技術】
【０００２】
パチンコ機等の弾球遊技機は、外枠に開閉自在に枢着された前枠に遊技盤装着枠が設けられ、この遊技盤装着枠に前側又は裏側から遊技盤が着脱自在に装着されている。遊技盤には前面の遊技領域に入賞手段その他の遊技部品が、裏側に遊技部品等の遊技動作を制御する主制御基板及び演出制御基板が夫々装着されている。また前枠側には電源基板、発射制御基板、払い出し制御基板が装着されている。
【０００３】
この種の弾球遊技機では、前枠に遊技盤を装着した後、前枠側と遊技盤側とを電気的に接続する必要がある。そこで、電源基板、払い出し制御基板にハーネスを介して接続された複数のコネクタを有する枠側ハウジングを前枠側に設けると共に、主制御基板、演出制御基板等にハーネスを介して接続された複数のコネクタ有する盤側ハウジングを遊技盤側に設け、この枠側ハウジングと盤側ハウジングとを連結することにより、対応するコネクタ同士が電気的に接続するようにしたものがある（特許文献１）。
【先行技術文献】
【特許文献】
【０００４】
【特許文献１】特開２００５−８０９０３号公報
【発明の概要】
【発明が解決しようとする課題】
【０００５】
このように枠側ハウジングと盤側ハウジングとを連結することにより、前枠側と遊技盤側との電気系統を一括して電気的に接続できるため、各信号系統毎にコネクタを着脱する場合に比較して全電気系統を容易に接続でき、遊技盤を前枠に対して着脱する際の利便性が著しく向上する利点がある。
【０００６】
従来は枠側ハウジング、盤側ハウジングが前枠、遊技盤に対して固定されていないため、前枠に対する遊技盤の着脱とは別に枠側ハウジングと盤側ハウジングとを着脱する必要がある。また前枠、遊技盤に複数のハーネスを介して各ハウジングがぶら下がっているため、前枠に遊技盤を装着する際に、そのハウジング、ハーネス等を両者間に挟み込む等の惧れもある。
【０００７】
本発明は、このような従来の問題点に鑑み、前枠に対する遊技盤の着脱時に、枠側ジョイント部と盤側ジョイント部とを介して前枠側と遊技盤側との電気系統を一括して容易且つ確実に着脱できると共に、盤側ジョイント部を保護でき、しかも盤側コネクタに接続されたハーネスが邪魔にならず遊技盤を容易に着脱できる弾球遊技機を提供することを目的とする。                                                      
【課題を解決するための手段】
【０００８】
本発明は、遊技盤６を前枠３の遊技盤装着枠３０に着脱自在に装着し、前記遊技盤６側と前記前枠３側とをコネクタ７１ａ〜７１ｄ，７３ａ〜７３ｄを介して電気的に接続するようにした弾球遊技機において、枠側コネクタ７１ａ〜７１ｄを有する枠側ジョイント部７２を前記前枠３に設け、前記遊技盤６を前記遊技盤装着枠３０に対して着脱するときに、前記枠側コネクタ７１ａ〜７１ｄに前後方向に着脱する盤側コネクタ７３ａ〜７３ｄを有する盤側ジョイント部７４を前記遊技盤６の裏側に設け、前記盤側ジョイント部７４を保護する保護カバー１１０に、前記盤側コネクタ７３ａ〜７３ｄに接続されたハーネス７８ａ〜７８ｄを押えるハーネス押え部１１３を設けたものである。
【発明の効果】
【０００９】
本発明によれば、前枠３に対する遊技盤６の着脱時に、枠側ジョイント部７２と盤側ジョイント部７４とを介して前枠３側と遊技盤６側との電気系統を一括して容易且つ確実に着脱できると共に、盤側ジョイント部７４を保護でき、しかも盤側コネクタ７３ａ〜７３ｄに接続されたハーネス７８ａ〜７８ｄが邪魔にならずに遊技盤６を容易に着脱できる利点がある。
【図面の簡単な説明】
【００１０】
【図１】本発明の第１の実施形態を示すパチンコ機の全体斜視図である。
【図２】同パチンコ機のガラス扉及び前面開閉板を取り外した状態での正面図である。
【図３】同パチンコ機の背面図である。
【図４】同パチンコ機の横断平面図である。
【図５】同ガラス扉の斜視図である。
【図６】同遊技盤の背面図である。
【図７】同前枠単体の斜視図である。
【図８】同前枠単体の斜視図である。
【図９】同前枠単体の斜視図である。
【図１０】同電気系統のブロック図である。
【図１１】同前枠単体の要部の背面図である。
【図１２】同枠側ジョイント部を取り付けた状態の前枠単体の要部の正面図である。
【図１３】同枠側ジョイント部の分解斜視図である。
【図１４】同枠側ジョイント部を含む要部の正面図である。
【図１５】同枠側ジョイント部を含む要部の縦断面図である。
【図１６】同枠側ジョイント部を含む要部の横断面図である。
【図１７】同盤側ジョイント部の分解斜視図である。
【図１８】同盤側ジョイント部を含む遊技盤の要部の背面図である。
【図１９】同盤側ジョイント部を含む遊技盤の要部の縦断面図である。
【図２０】同盤側ジョイント部を含む遊技盤の要部の横断面図である。
【図２１】本発明の第２の実施形態を示す枠側ジョイント部を含む要部の縦断面図である。
【図２２】本発明の第３の実施形態を示す枠側ジョイント部を含む要部の正面図である。
【発明を実施するための形態】
【００１１】
以下、本発明の実施形態を図面に基づいて詳述する。図面は本発明をパチンコ機に採用した第１の実施形態を例示している。図１において、１は遊技機本体で、矩形状の外枠２と、この外枠２の前側に開閉自在に枢着された前枠３とを備えている。
【００１２】
前枠３は例えば合成樹脂製で、図２，図４，図７〜図９等に示すように、外枠２の前面側に当接する矩形状の枠部４と、この枠部４の内側下部に配置される下部装着部３ａと、枠部４の内側上部に配置される上部装着部３ｂとを一体に備え、下部装着部３ａに発射手段５等が、上部装着部３ｂに遊技盤６等が夫々配置されている。枠部４は、上下一対の横枠部４ａ，４ｂと、左右一対の縦枠部４ｃ，４ｄとで構成されており、前枠３はその左右一端側、例えば左縦枠部４ｃ側に設けられた上下方向のヒンジ７により外枠２に枢支されている。
【００１３】
前枠３の前側には、下部装着部３ａに対応する前面開閉板９と、上部装着部３ｂに対応するガラス扉１０とがヒンジ７と同じ側のヒンジ１１により開閉自在に枢支されている。また前枠３の裏側には図４，図８に示すように、枠側コネクタ７１ａ〜７１ｄを有する枠側ジョイント部７２が、遊技盤６の裏側には図４，図６に示すように盤側コネクタ７３ａ〜７３ｄを有する盤側ジョイント部７４が夫々設けられており、前枠３に遊技盤６を装着したときに、両ジョイント部７２，７４のコネクタ７１ａ〜７１ｄ，７３ａ〜７３ｄ同士を着脱自在に接続することにより、前枠３側と遊技盤６側との電気系統を一括して接続するようになっている。
【００１４】
前面開閉板９には、その前側に発射手段５に供給するための遊技球を貯留する供給皿１２、発射手段５を作動させるための発射ハンドル１３等が設けられている。
【００１５】
ガラス扉１０は、図１，図４，図５等に示すように、遊技盤６の遊技領域６ａを透視可能なガラス窓１４の窓孔を有する例えば板金製の扉枠１５と、この扉枠１５の前側に装着された合成樹脂製の化粧カバー１６と、扉枠１５の裏側に装着されたガラスユニット１７とを備え、前枠３側に閉じたとき、扉枠１５の外縁側が上横枠部４ａ及び左右の縦枠部４ｃ，４ｄの前側に略当接すると共に、ガラスユニット１７がその内側に嵌合するようになっている。ガラスユニット１７は、前後二枚のガラス板１８と、この二枚のガラス板１８を外周で保持する合成樹脂製の保持枠１９とで構成されており、扉枠１５の裏側に設けられた締結摘まみ２０により扉枠１５に着脱自在に装着されている。
【００１６】
下部装着部３ａは、下横枠部４ｂの上側に沿って横長状に形成されており、図２に示すようにその前側の例えば左右方向略中央に発射手段５が配置され、前面開閉板９側の供給皿１２から発射手段５に発射用の遊技球が供給されるようになっている。発射手段５は、板金製の支持板２１と、この支持板２１の前面に装着された発射レール２２と、支持板２１の前面で前後方向の駆動軸廻りに揺動自在に支持された打撃槌２３と、支持板２１の裏側に装着され且つ打撃槌２３を打撃方向に駆動するロータリソレノイド等の発射駆動手段２４等を備え、発射ハンドル１３が操作されたときに発射駆動手段２４により打撃槌２３を打撃方向（時計廻り）に間欠的に駆動することにより、供給皿１２から発射レール２２上に供給された遊技球を発射レール２２に沿って打撃して遊技盤６側に発射させるようになっている。
【００１７】
発射手段５の左側には、後述する払い出し手段６３から払い出された遊技球を前面開閉板９側の供給皿１２に排出するための払い出し口２５等が、右側には下部スピーカ２６等が夫々配置されている。下部スピーカ２６は、スピーカユニット２７と、このスピーカユニット２７を収容するスピーカボックス２８とで構成されており、下部装着部３ａに後ろ向きの凹入状に形成された収容部２９（図７，図８参照）内に着脱自在に装着されている。
【００１８】
上部装着部３ｂは、枠部４の内側で且つ下部装着部３ａの上側に配置され、外枠２の内側に嵌合可能な後ろ向き膨出状に形成されており、その前部に遊技盤６を装着可能な遊技盤装着枠３０が設けられている。上部装着部３ｂにおける遊技盤装着枠３０よりも後側が遊技盤６の後部側を略覆う後部ケース３１となっており、その上部の左右両端側には一対の上部スピーカ３２が着脱自在に装着されている。
【００１９】
遊技盤６は、ベニヤ板等により略矩形状に形成されており、図２に示すように、その前面側には発射手段５により発射された遊技球を遊技領域６ａの上部側に案内する外レール（ガイドレール）３３ａと、遊技領域６ａの周囲を規定する周壁の少なくとも一部を構成する内レール（ガイドレール）３３ｂとが立設されると共に、遊技領域６ａ内には略中央に画像表示手段を備えたセンターケース３４ａの他、通過ゲート３４ｂ、開閉式入賞手段３４ｃ、大入賞手段３４ｄ、普通入賞手段３４ｅ等の各種遊技部品が装着されている。
【００２０】
外レール３３ａ及び内レール３３ｂはガイドレールを構成するもので、外レール３３ａは遊技盤６の下部側の左右方向略中央位置又はそれよりも若干左寄りの位置から遊技盤６の左端側及び上端側を経て右上部側まで略円弧状に配置され、内レール３３ｂは遊技盤６の左上方から下部側の左右方向略中央まで外レール３３ａに並行するようにその内側に配設され、更にそのまま遊技盤６の右縁部近傍まで略円弧状に延設されている。また遊技盤６の右端部には、外レール３３ａと内レール３３ｂの端部間を連結する略円弧状の連結レール部４０ａを備えた例えば合成樹脂製の装飾部材４０が配置されている。
【００２１】
遊技盤６の裏面側には、図４，図６に示すように、センターケース３４ａ等の遊技部品を後側から覆う裏カバー３５が装着され、この裏カバー３５の背面側に主制御基板３６ａが格納された主基板ケース３６、演出制御基板３７ａが格納された演出基板ケース３７、液晶制御基板３８ａが格納された液晶基板ケース３８等が着脱自在に装着されている。
【００２２】
裏カバー３５は、上部側の上部カバー３５ａと下部側の集球ケース３５ｂとで構成されており、これら上部カバー３５ａと集球ケース３５ｂは遊技盤６の裏面に個別に装着されている。集球ケース３５ｂは下部側に排出口３９を備え、大入賞手段３４ｄ等に入賞して遊技盤６の裏側に案内された遊技球を排出口３９側に誘導して下向きに排出するように構成されている。なお、演出基板ケース３７、液晶基板ケース３８は上部カバー３５ａの裏側に装着され、主基板ケース３６は集球ケース３５ｂの裏側に装着されている。
【００２３】
遊技盤装着枠３０は、図２，図４，図７〜図９等に示すように、上横枠部４ａの内周側に設けられる上支持枠４１、下部装着部３ａの上縁側に設けられる下支持枠４２、左縦枠部４ｃの内周側に設けられる左支持枠４３、右縦枠部４ｄの内周側に設けられる右支持枠４４により、遊技盤６を前側から着脱できるように前面側が開放された矩形状に形成されている。上下左右の支持枠４１〜４４は、夫々遊技盤６をその上下左右の縁部において支持するもので、遊技盤６の外周面に沿って配置される周壁部４１ａ〜４４ａと、遊技盤６の背面に沿って配置される後壁部４１ｂ〜４４ｂとを夫々備えている。
【００２４】
また支持枠４１〜４４のうちの一つ、例えば左支持枠４３側には、例えば周壁部４３ａから遊技盤６の前面側に沿って突設される前面支持部４３ｃと、例えば後壁部４３ｂ上又はその内周側に配置され且つ遊技盤６の端部（左端部）を前側の前面支持部４３ｃ側に付勢する板ばね等よりなる付勢手段４３ｄとが設けられており、遊技盤６の左縁部をその外周面側及び前後両面側の三方から挟み込むと共に付勢手段４３ｄにより前側、即ち前面支持部４３ｃ側に押圧して支持するようになっている。
【００２５】
また遊技盤装着枠３０上又はその近傍には、遊技盤装着枠３０に前側から装着された遊技盤６を解除可能に固定する複数、例えば２つのロック手段４５ａ，４５ｂが設けられている。
【００２６】
ロック手段４５ａ，４５ｂは、遊技盤６における前面支持部４３ｃとは反対の端部側に対応して配置されており、上支持枠４１の右端部近傍に上ロック手段４５ａが、下支持枠４２の右端部近傍に下ロック手段４５ｂが夫々設けられている。また遊技盤６には、各ロック手段４５ａ，４５ｂに対応して外縁側に内向き凹入状の切り欠き部４６ａ，４６ｂが形成されている。
【００２７】
ロック手段４５ａ，４５ｂは、図７，図８に示すように、遊技盤装着枠３０内に前向きに突設され且つ軸心廻りに回動自在な軸部４７と、この軸部４７の前端側に配置された固定摘まみ部４８と、軸部４７の前後方向の中間部分に固定された押圧部４９とを一体に備えている。そして、このロック手段４５ａ，４５ｂは、固定摘まみ部４８を切り欠き部４６ａ，４６ｂに対応して縦向きの解除位置にしたときに遊技盤装着枠３０に対して遊技盤６を着脱可能であり、横向きのロック位置にしたときに遊技盤６を遊技盤装着枠３０内で後壁部４１ｂ〜４４ｂ側及び原点位置Ｏ（図２参照）側へと押圧してロックするようになっている。
【００２８】
なお、原点位置Ｏは、発射手段５から発射された遊技球が遊技盤６の外レール３３ａ側へと入る始端側、即ち遊技盤装着枠３０の４つの隅部のうち、下部側で且つ前面支持部４３ｃ側の隅部に設定されている。
【００２９】
後部ケース３１は、図４，図７〜図９等に示すように、遊技盤６の裏側の裏カバー３５の外周面に沿って配置される上下左右の周壁部５０〜５３で構成され、その周壁部５０〜５３の後端に裏カバー３５の背面に沿って後壁部５４が設けられている。後壁部５４には、その略中央に遊技盤６の裏側の基板ケース３６〜３８等が嵌合する開口部５５が設けられると共に、この開口部５５を後側から開閉可能に覆う開閉カバー５６（図３参照）が着脱自在に装着されている。
【００３０】
後部ケース３１の下周壁部５１には、図７，図９に示すように、集球ケース３５ｂの排出口３９に対応する切り欠き部５７と、遊技盤６下部のアウト口５８（図２参照）から遊技盤６の裏側に案内された遊技球を切り欠き部５７側に誘導する傾斜案内部５９とが設けられている。
【００３１】
後部ケース３１の背面側には、図３に示すように、開口部５５の上側に遊技球タンク６０とタンクレール６１とを備えた遊技球タンクユニット６２が着脱自在に装着され、また開口部５５の左右一側に払い出し手段６３と払い出し通路６４とを備えた払い出しユニット６５が着脱自在に装着されており、遊技球が大入賞手段３４ｄ等の入賞口に入賞したとき、又は図外の自動球貸し機から球貸し指令があったときに、遊技球タンク６０内の遊技球をタンクレール６１を経て払い出し手段６３により払い出し、その遊技球を払い出し通路６４、払い出し口２５を経て供給皿１２に案内するようになっている。
【００３２】
また後部ケース３１の下側で且つ下部装着部３ａの背面側には、図３に示すように、基板装着台６６が着脱自在に装着されており、この基板装着台６６の背面側に、例えば電源基板６７が格納された電源基板ケース６８と、払い出し制御基板６９が格納された払い出し基板ケース７０とが着脱自在に装着されている。
【００３３】
枠側コネクタ７１ａ〜７１ｄ、盤側コネクタ７３ａ〜７３ｄは、例えば図１０に示すように接続されている。即ち、枠側コネクタ７１ａはハーネス７５ａを介して払い出し制御基板６９に接続され、枠側コネクタ７１ｂはハーネス７５ｂを介して電源基板６７に接続され、枠側コネクタ７１ｃはハーネス７５ｃを介して、ガラス扉１０の前面側の装飾ランプ（図示省略）を制御する装飾制御基板７６に接続され、枠側コネクタ７１ｄはハーネス７５ｄを介して電源基板６７に接続されている。
【００３４】
また盤側コネクタ７３ａは中継コネクタ７７ａ、ハーネス７８ａを介して主制御基板３６ａの信号出力部に接続され、盤側コネクタ７３ｂは中継コネクタ７７ｂ、ハーネス７８ｂを介して主制御基板３６ａの電源部に接続され、盤側コネクタ７３ｃは中継コネクタ７７ｃ、ハーネス７８ｃを介して演出制御基板３７ａの演出信号出力部に接続され、盤側コネクタ７３ｄは中継コネクタ７７ｄ、ハーネス７８ｄを介して演出制御基板３７ａ、液晶制御基板３８ａの電源部に接続されている。
【００３５】
枠側ジョイント部７２は、図８，図１１，図１２に示すように、原点位置Ｏと反対側のロック手段４５ｂの上側近傍において、遊技盤６の裏側の集球ケース３５ｂを取り囲む後部ケース３１の後壁部５４の内、その下部周壁部５１及び右周壁部５３側の二辺の後壁部５４ａ，５４ｂに裏側から着脱自在に装着され、この枠側ジョイント部７２と前後に対向して、遊技盤６の集球ケース３５ｂの一側下部の裏面側に盤側ジョイント部７４が装着されている。
【００３６】
枠側ジョイント部７２は、図１３〜図１６に示すように、中空状に構成されたジョイントケース７９を備え、このジョイントケース７９の前面側に上下方向に複数の枠側コネクタ７１ａ〜７１ｄが浮動状態で前方に突設され、またジョイントケース７９の内部で各枠側コネクタ７１ａ〜７１ｄに枠側のハーネス７５ａ〜７５ｄが接続されており、遊技盤装着枠３０の後部側の周壁部５１，５３に形成された後壁部５４ａ，５４ｂに跨がってその隅部に配置されている。
【００３７】
ジョイントケース７９は、図１３，図１５，図１６に示すように、前後に二つ割り状に構成され且つ内部が透視可能に透明な前部ケース８０と後部ケース８１とを有する。前部ケース８０と後部ケース８１は、下部側が前部ケース８０の下部の係合凹部８２と後部ケース８１の下部側の係合爪８３とにより係脱自在に係合され、また上部側が前部ケース８０側の位置決め突起１２３と後部ケース８１側の位置決め凹部１２４とにより位置決めされると共に、後部ケース８１側の取り付け孔８４に挿入されて前部ケース８０側のネジ孔に螺合するネジ８５により着脱自在に固定されている。
【００３８】
前部ケース８０は下部側の略中央と上部側の左右一端とに取り付け部８６，８７を、下部側の取り付け部８６よりも原点位置Ｏに近い端部に前後の挟み部８８を有し、その挟み部８８が前部ケース８０の前面側との間で下周壁部５１の後壁部５４ａの上端部を前後両側から挟んで係合し、取り付け部８６，８７が周壁部５１，５３又はその後壁部５４ａ，５４ｂに形成された取り付け部８９，９０にネジ９１，９２により固定されている。
【００３９】
なお、前部ケース８０は、取り付け部８７と挟み部８８とにより、その略対角線方向の両側で遊技盤装着枠３０に固定されている。挟み部８８は係合部を構成するが、この挟み部８８に代えて下周壁部５１の後壁部５４ａ側に係合する係合爪を設けてもよい。
【００４０】
枠側コネクタ７１ａ〜７１ｄはそのコネクタ本体９４の長手方向が左右方向に配置されている。コネクタ本体９４は左右方向の中央部に設けられた多数のピン孔群９５と、左右両端に設けられた左右一対の取り付け突部９６と、ピン孔群９５と取り付け突部９６との間に設けられた左右一対の案内部９７とを有する。
【００４１】
そして、コネクタ本体９４は、後部が前部ケース８０の前面に形成された開口９８に嵌合した状態でその前面側に突出状に配置され、各取り付け突部９６に径方向に相対遊動自在に内嵌する遊動筒９９と、この遊動筒９９を前部ケース８０に螺合するネジ１００とにより着脱自在に固定されている。案内部９７は上下左右に傾斜面９７ａ，９７ｂを有し、前側に突出する山状に構成されている。
【００４２】
各枠側コネクタ７１ａ〜７１ｄに接続されたハーネス７５ａ〜７５ｄは、図１５に示すように、ジョイントケース７９の下部側の引き出し口１０１から下側へとまとめて引き出され、後部ケース３１の下周壁部５１の裏側を経て電源基板６７、払い出し制御基板６９、装飾制御基板７６等に夫々接続されている。なお、後部ケース８１の裏側には、前枠３側の電源コード１０２の差し込みプラグ１０３を着脱自在に保持するプラグ保持具１０４が設けられている。
【００４３】
盤側ジョイント部７４は、図１７〜図２０に示すように、集球ケース３５ｂの膨出部１０５よりも低く形成された段部１０６の裏面に配置されている。即ち、集球ケース３５ｂは、後方に膨出する膨出部１０５と、この膨出部１０５の一端側下部で遊技盤６の下隅の近傍に枠側ジョイント部７２に対応して設けられた段部１０６とを有し、その段部１０６の裏側に盤側ジョイント部７４が配置されている。盤側ジョイント部７４は保護カバー１１０により裏側から保護されている。
【００４４】
各盤側コネクタ７３ａ〜７３ｄは各枠側コネクタ７１ａ〜７１ｄに対応して長手方向を左右方向にして上下方向に複数個配置されており、中継基板１０６ａ〜１０６ｃの裏面に個別に着脱自在に固定されている。
【００４５】
盤側コネクタ７３ａ〜７３ｄは枠側コネクタ７１ａ〜７１ｄのコネクタ本体９４の前端部が嵌合する周壁１０７と、この周壁１０７内に枠側コネクタ７１ａ〜７１ｄのピン孔群９５に対応して設けられた多数のピン群１０８とを有する。周壁１０７の開口端側の内周には、遊技盤６の装着時に枠側コネクタ７１ａ〜７１ｄの案内部９７との間でコネクタ本体９４を周壁１０７内へと案内する案内部１０９が傾斜状に形成されている。
【００４６】
各中継基板１０６ａ〜１０６ｃは左右方向に長く構成され、左右両端部でネジ１１４，１１５，１２６等により集球ケース３５ｂの段部１０６側の取り付け部１２７に着脱自在に固定されている。また各中継基板１０６ａ〜１０６ｃの膨出部１０５側の端部には中継コネクタ７７ａ〜７７ｄが設けられ、この中継コネクタ７７ａ〜７７ｄにハーネス７８ａ〜７８ｄが着脱自在に接続されている。
【００４７】
なお、中継基板１０６ａ〜１０６ｃは各盤側コネクタ７３ａ〜７３ｄ毎に独立して設けてもよいし、一個にしてもよい。またハーネス７８ａ〜７８ｄは中継コネクタ７７ａ〜７７ｄ、中継基板１０６ａ〜１０６ｃを介して盤側コネクタ７３ａ〜７３ｄに接続されているが、中継基板１０６ａ〜１０６ｃ、中継コネクタ７７ａ〜７７ｄを省略して盤側コネクタ７３ａ〜７３ｄに直接接続してもよい。
【００４８】
保護カバー１１０は、図１７〜図２０に示すように、中継基板１０６ａ〜１０６ｃを裏側から保護する基板保護部１１２と、この基板保護部１１２の膨出部１０５側の端部から膨出部１０５の側壁１０５ａに沿って斜め後方へと屈曲するハーネス押え部１１３とを一体に備え、裏側から中継基板１０６ａ〜１０６ｃに当接して集球ケース３５ｂの段部１０６にネジ１１４，１１５により着脱自在に固定されている。
【００４９】
基板保護部１１２は中継基板１０６ａ〜１０６ｃを裏側から透視可能に透明な合成樹脂材等により構成されており、中継基板１０６ａ〜１０６ｃに対する不正工作を容易に発見できるようになっている。
【００５０】
また基板保護部１１２は、上下の盤側コネクタ７３ａ，７３ｄに対応する切り欠き部１１２ａ，１１２ｄを有し、この上下の盤側コネクタ７３ａ，７３ｄの周辺を除いて中継基板１０６ａ〜１０６ｃを裏側から覆い、中間の二個の盤側コネクタ７３ｂ，７３ｃが開口１１２ｂ，１１２ｃから後方に突出している。切り欠き部１１２ａ，１１２ｄ、開口１１２ｂ，１１２ｃの周縁は、その隙間を経て中継基板１０６ａ〜１０６ｃ側に不正工作を加え得ないように盤側コネクタ７３ａ〜７３ｄの外周に近接している。
【００５１】
ハーネス押え部１１３は中継コネクタ７７ａ〜７７ｄ、ハーネス７８ａ〜７８ｄ側を裏側から透視可能に透明な合成樹脂材等により構成されており、ハーネス７８ａ〜７８ｄが中継コネクタ７７ａ〜７７ｄから不正に抜かれる等の不正工作を容易に発見できるようになっている。
【００５２】
またハーネス押え部１１３は、盤側コネクタ７３ａ〜７３ｄとハーネス７８ａ〜７８ｄの引き出し側である中継コネクタ７７ａ〜７７ｄとの間から後方に屈曲しており、遊技盤６の着脱時にハーネス７８ａ〜７８ｄが前枠３側の枠側ジョイント部７２等と接触しないように、膨出部１０５の側壁１０５ａとの間でハーネス７８ａ〜７８ｄを押えて保持している。
【００５３】
保護カバー１１０は基板保護部１１２のハーネス押え部１１３と反対側の端部に設けられた取り付け部１１６と、ハーネス押え部１１３側に設けられた上下一対の取り付け部１１７との複数箇所においてネジ１１４，１１５により集球ケース３５ｂの段部１０６に着脱自在に固定されている。取り付け部１１７はハーネス押え部１１３の膨出部１０５側に一体に形成された前後方向の補強部１１８の前端に設けられている。なお、ネジ１１４，１１５はその位置に中継基板１０６ａ〜１０６ｃを共締めにより段部１０６に固定している。
【００５４】
ハーネス押え部１１３の前側には、盤側コネクタ７３ａ〜７３ｄと中継コネクタ７７ａ〜７７ｄとの間を仕切る仕切り壁１１９が設けられている。基板保護部１１２の外周には、この仕切り壁１１９を含む周壁部１２０が周方向の略全周に設けられると共に、中間に中間壁１２８が設けられており、その仕切り壁１１９を含む周壁部１２０及び中間壁１２８の前端が中継基板１０６ａ〜１０６ｃの裏面に当接している。またハーネス押え部１１３の下端部には、膨出部１０５の側壁１０５ａに当接する屈曲部１２１が一体に設けられ、この屈曲部１２１により、ハーネス押え部１１３と膨出部１０５の側壁１０５ａとの下端部間を塞いでいる。
【００５５】
なお、基板保護部１１２は、中継コネクタ７７ａ〜７７ｄの周辺側を含む中継基板１０６ａ〜１０６ｃの略全体を裏側から覆うようにしてもよい。その場合、ハーネス押え部１１３は基板保護部１１２に対して平面視略Ｔ字状となるように、基板保護部１１２の中間部分から後方に突出して設ければよい。
【００５６】
上記構成のパチンコ機において、遊技盤６を遊技盤装着枠３０に装着する場合には、遊技盤６の左側の端部を遊技盤装着枠３０の原点位置Ｏにおいて後壁部４３ｂと前面支持部４３ｃとの間に挿入した後、遊技盤６の反対側を遊技盤装着枠３０内に押し込み、ロック手段４５ａ，４５ｂにより遊技盤装着枠３０内で遊技盤６を固定する。
【００５７】
遊技盤６の原点位置Ｏと反対側を遊技盤装着枠３０内に押し込むときに、盤側ジョイント部７４の盤側コネクタ７３ａ〜７３ｄが枠側ジョイント部７２の枠側コネクタ７１ａ〜７１ｄの前面側に対応して、枠側コネクタ７１ａ〜７１ｄのコネクタ本体９４部が盤側コネクタ７３ａ〜７３ｄの周壁１０７内に相対的に嵌合し、両コネクタ７１ａ〜７１ｄ，７３ａ〜７３ｄが前枠３側と遊技盤６側との電気系統を一括して接続することができる。
【００５８】
また枠側コネクタ７１ａ〜７１ｄと盤側コネクタ７３ａ〜７３ｄとの間に多少の位置ずれがあっても、枠側コネクタ７１ａ〜７１ｄの案内部９７が盤側コネクタ７３ａ〜７３ｄの周壁１０７の案内部１０９と接触した後、浮動状態の枠側コネクタ７１ａ〜７１ｄが盤側コネクタ７３ａ〜７３ｄと一致するように相対的に移動するため、盤側コネクタ７３ａ〜７３ｄを枠側コネクタ７１ａ〜７１ｄに容易且つ確実に接続することができる。
【００５９】
盤側コネクタ７３ａ〜７３ｄが枠側コネクタ７１ａ〜７１ｄに接続した後、ロック手段４５ａ，４５ｂにより遊技盤６を遊技盤装着枠３０内で固定する。このときロック手段４５ａ，４５ｂの締め付けにより遊技盤６が原点位置Ｏ側へと多少移動することがあっても、枠側コネクタ７１ａ〜７１ｄが浮動状態であるため、両コネクタ７１ａ〜７１ｄ，７３ａ〜７３ｄに無理な外力がかかるようなことはない。
【００６０】
枠側ジョイント部７２のジョイントケース７９は、遊技盤装着枠３０の後端部側の隣り合う二辺の隅部に配置し、その二辺の周壁部５１，５３、取り分けその後壁部５４ａ，５４ｂに対して略対角線方向の両側で着脱自在に固定し、遊技盤６の裏側に、この枠側ジョイント部７２に対応して盤側ジョイント部７４を設けているため、枠側ジョイント部７２が他の邪魔になることもないし、この枠側ジョイント部７２を遊技盤装着枠３０側に対して確実に固定することができる。またジョイントケース７９は透明にして内部を透視できるようにしているので、内部空間に不正な電気部品を組み込む等の不正工作があれば、それを容易に発見することができる。
【００６１】
枠側ジョイント部７２が損傷した場合には、遊技盤装着枠３０の裏側から枠側ジョイント部７２を取り外して交換するが、枠側ジョイント部７２が枠側コネクタ７１ａ〜７１ｄ及びそのハーネス７５ａ〜７５ｄを支持する専用部品であるため、それ自体を小型化できると共に、その交換に際しても容易に着脱することができる。
【００６２】
また盤側ジョイント部７４は、集球検出３５ｂの膨出部１０５の一側の段部１０６の裏側に配置しているので、遊技盤６の裏側に盤側ジョイント部７４用の専用のスペースを確保する必要がなく、遊技盤６の裏側を有効に活用できる。しかも、盤側ジョイント部７４の盤側コネクタ７３ａ〜７３ｄは中継基板１０６ａ〜１０６ｃを介して段部１０６の裏側に装着し、保護カバー１１０により裏側から保護する構造であるため、盤側ジョイント部７４を十分に保護しながらも、盤側コネクタ７３ａ〜７３ｄをケース等に収容する場合に比較して、盤側ジョイント部７４の後方への突出を極力小さくできる。
【００６３】
枠側ジョイント部７２にハーネス７５ａ〜７５ｄがある上に、盤側ジョイント部７４の近傍にも多数のハーネス７８ａ〜７８ｄがある。しかし、枠側ジョイント部７２のハーネス７５ａ〜７５ｄはジョイントケース７９の下側にまとめて引き出し、遊技盤６の裏側のハーネス７８ａ〜７８ｄを保護カバー１１０のハーネス押え部１１３で集球ケース３５ｂの膨出部１０５側に押えているため、枠側ジョイント部７２、盤側ジョイント部７４、ハーネス７５ａ〜７５ｄ，７８ａ〜７８ｄが相手側に突出して、遊技盤６の着脱時に互いに引っ掛かる等の問題を防止できる。従って、ハーネス７５ａ〜７５ｄ，７８ａ〜７８ｄ等に影響されることなく遊技盤６を容易に着脱できる。
【００６４】
またハーネス押え部１１３は膨出部１０５側に傾斜しており、膨出部１０５との間隔が前部側に比較して後部側が狭くなっているため、ハーネス７８ａ〜７８ｄを中継コネクタ７７ａ〜７７ｄから抜き難くできる。特に主制御基板３６ａからのハーネス７８ａ，７８ｂ側では、その近傍に屈曲部１２１があるため、ハーネス７８ａ，７８ｂの不正な抜き取りを困難にできる利点がある。
【００６５】
更に盤側ジョイント部７４は遊技盤６の裏側の集球ケース３５ｂの裏側に設け、遊技盤装着枠３０の集球ケース３５ｂを取り囲む周壁部５１，５３の後壁部５４ａ，５４ｂに枠側ジョイント部７２を設けており、遊技盤６の装着状態では両コネクタ７１ａ〜７１ｄ，７３ａ〜７３ｄを枠側ジョイント部７２により裏側から覆うため、コネクタ７１ａ〜７１ｄ，７３ａ〜７３ｄ等に対する不正工作を防止できる。
【００６６】
図２１は本発明の第２の実施形態を例示する。この実施形態では、ジョイントケース７９をその外周側の板金製の補強枠１３０に嵌め込み、この補強枠１３０とジョイントケース７９とをネジ９１，９２により周壁部５１，５３側の取り付け部８９，９０に着脱自在に装着している。
【００６７】
このように補強枠１３０によりジョイントケース７９を裏側から補強することにより、ジョイントケース７９を遊技盤装着枠３０側に確実に固定できる。従って、ジョイントケース７９の一部が取り付け部８７と挟み部８８とを結ぶ線分よりも開口部５５の中心側に突出しているにも拘わらず、その突出部側にかかる前後方向の荷重に対しても十分に抗することができ、ジョイントケース７９、取り分けその取り付け部８７、挟み部（取り付け部）８８等の損傷を防止できる。
【００６８】
なお、補強枠１３０はジョイントケース７９と周壁部５１，５３の取り付け部８９，９０との間に介在してもよい。また補強枠１３０はジョイントケース７９を補強できる構造のものであれば、この実施形態のようにジョイントケース７９の周方向の全周側に設ける必要はなく、ジョイントケース７９の取り付け部８７と挟み部（取り付け部）８８とを結ぶ線分よりも開口部５５の中心側に突出する部分のみを支える構造でもよい。
【００６９】
図２２は本発明の第３の実施形態を例示する。この実施形態では、ジョイントケース７９の開口部５５の中心側（前枠３の中央側）の側縁を、取り付け部８６と取り付け部８７との中心間を結ぶ線分に沿ってその内側近傍で斜め方向に傾斜する傾斜辺１３１とし、このジョイントケース７９の前面側に上下方向に複数の枠側コネクタ７１ａ〜７１ｄが集中的に配置されている。
【００７０】
このようにすれば、枠側ジョイント部７２に対する盤側ジョイント部７４の着脱時にも、ジョイントケース７９の取り付け部８６，８７に過度の荷重がかかることはなく、ジョイントケース７９側の耐久性が向上する。またジョイントケース７９側は構造的に多少大きくなるが、枠側コネクタ７１ａ〜７１ｄを遊技盤装着枠３０の隅近傍に集中的に配置することにより、盤側ジョイント部７４の大型化を防止できる。
【００７１】
なお、この実施形態では、ジョイントケース７９の内側に傾斜辺１３１を形成しているが、傾斜辺１３１に代えて開口部５５の中心側に膨らむ円弧状にしてもよい。従って、ジョイントケース７９の内側は前記線分の内側近傍でその線分に沿った形状であれば良く、その上下方向の中間部に突出部を有する構造であっても、別段問題はない。
【００７２】
またこのようなジョイントケース７９を使用する場合に、枠側コネクタ７１ａ〜７１ｄのピン接続部が外側に位置するか、又は枠側コネクタ７１ａ〜７１ｄのピン接続部の長手方向の中央が前記線分よりも外側に位置するように、各枠側コネクタ７１ａ〜７１ｄをジョイントケース７９の前面に配置することが望ましい。
【００７３】
以上、本発明の実施形態について詳述したが、本発明はこれらの実施形態に限定されるものではなく、本発明の趣旨を逸脱しない範囲で種々の変更が可能である。例えば、実施形態では枠側コネクタ７１ａ〜７１ｄ、盤側コネクタ７３ａ〜７３ｄを左右方向に長くなる横長状に配置して上下方向に複数並設しているが、上下方向に長くなる縦長状に配置して左右方向に複数並設してもよい。枠側コネクタ７１ａ〜７１ｄ、盤側コネクタ７３ａ〜７３ｄは、枠側と盤側との夫々が１個となるようにまとめて設けてもよい。
【００７４】
また枠側コネクタ７１ａ〜７１ｄ、盤側コネクタ７３ａ〜７３ｄの一部を横長状に配置し、残りを縦長状に配置してもよい。例えば、第３の実施形態のような形状のジョイントケース７９の場合には、その下部側に１個又は２個の枠側コネクタ７１ａ〜７１ｄを横長状に配置し、その上側に残りを縦長状にして左右方向に複数配置してもよい。そして、盤側コネクタ７３ａ〜７３ｄは、枠側コネクタ７１ａ〜７１ｄの配置に対応して配置すればよい。
【００７５】
また枠側ジョイント部７２の枠側コネクタ７１ａ〜７１ｄを浮動状に設ける他、盤側ジョイント部７４の盤側コネクタ７３ａ〜７３ｄを浮動状に設けてもよいし、両コネクタ７１ａ〜７１ｄ，７３ａ〜７３ｄを共に浮動状に設けてもよい。また両コネクタ７１ａ〜７１ｄ，７３ａ〜７３ｄの内、その一方を上下方向に、他方を左右方向に浮動状に設けてもよい。
【００７６】
実施形態では枠側コネクタ７１ａ〜７１ｄ、盤側コネクタ７３ａ〜７３ｄの両方に案内部９７，１０９を設けているが、枠側コネクタ７１ａ〜７１ｄと盤側コネクタ７３ａ〜７３ｄとの何れか一方でもよい。また実施形態では遊技盤６の裏側の構成部材として集球ケース３５ｂを例示し、その段部１０６の裏側に盤側ジョイント部７４を装着しているが、盤側ジョイント部７４は集球ケース３５ｂ以外の構成部材に設けてもよい。また盤側ジョイント部７４は遊技盤６の裏面に直接設けてもよい。
【００７７】
また周壁部５１，５３の後端の後壁部５４ａ，５４ｂに取り付け部８９，９０を形成し、この取り付け部８９，９０に枠側ジョイント部７２を固定しているが、周壁部５１，５３に直接取り付け部８９，９０を形成してもよい。
【００７８】
遊技盤６を遊技盤装着枠３０に対して原点位置Ｏを基準に装着する場合、実施形態では原点位置Ｏと反対側の端部に枠側ジョイント部７２、盤側ジョイント部７４を下部側に配置しているが、この枠側ジョイント部７２、盤側ジョイント部７４は遊技盤装着枠３０の左右方向の中間位置に対応して配置してもよいし、上部側に対応して配置してもよい。
【００７９】
またジョイントケース７９は、全体を透明な材料により構成する他、内部に所定の空間ができる場所に対応して、その部分を容易に透視できるように、部分的に透明な材料により構成するか、又は透視可能な構造に構成してもよい。遊技盤６は遊技盤装着枠３０に対して裏側から着脱自在に装着してもよい。この場合にも枠側ジョイント部７２、盤側ジョイント部７４を前後に対応して配置することにより、同様に実施可能である。更に本発明は、パチンコ機に限らず、アレンジボール機、雀球遊技機等の各種の弾球遊技機においても同様に実施することが可能である。
【符号の説明】
【００８０】
３  前枠
６  遊技盤
３０  前枠装着部
３５ｂ  集球ケース（裏カバー）
７１ａ〜７１ｄ  枠側コネクタ
７２  枠側ジョイント部
７３ａ〜７３ｄ  盤側コネクタ
７４  盤側ジョイント部
７８ａ〜７８ｄ  ハーネス
１０５  膨出部
１０６  段部
１０６ａ〜１０６ｃ  中継基板
１１０  保護カバー
１１２  基板保護部
１１２ａ，１１２ｄ  切り欠き部
１１２ｃ，１１２ｄ  開口
１１３  ハーネス押え部
【図１】
2010253319.tif 000003
【図２】
2010253319.tif 000004
【図３】
2010253319.tif 000005
【図４】
2010253319.tif 000006
【図５】
2010253319.tif 000007
【図６】
2010253319.tif 000008
【図７】
2010253319.tif 000009
【図８】
2010253319.tif 000010
【図９】
2010253319.tif 000011
【図１０】
2010253319.tif 000012
【図１１】
2010253319.tif 000013
【図１２】
2010253319.tif 000014
【図１３】
2010253319.tif 000015
【図１４】
2010253319.tif 000016
【図１５】
2010253319.tif 000017
【図１６】
2010253319.tif 000018
【図１７】
2010253319.tif 000019
【図１８】
2010253319.tif 000020
【図１９】
2010253319.tif 000021
【図２０】
2010253319.tif 000022
【図２１】
2010253319.tif 000023
【図２２】
2010253319.tif 000024
【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
遊技盤を前枠の遊技盤装着枠に着脱自在に装着し、前記遊技盤側と前記前枠側とをコネクタを介して電気的に接続するようにした弾球遊技機において、前側に枠側コネクタを有する枠側ジョイント部を前記前枠に設け、前記遊技盤の裏側に前記枠側ジョイント部に対応する盤側ジョイント部を設け、前記盤側ジョイント部に配置された基板の裏面に、前記遊技盤を前記遊技盤装着枠に対して着脱するときに前記枠側コネクタに着脱する盤側コネクタと、該盤側コネクタを盤側ハーネスに接続する中継コネクタとを設け、前記盤側ジョイント部を保護する保護カバーに、前記中継コネクタを含む前記基板を裏側から覆う基板保護部を設け、該基板保護部に、前記盤側コネクタが後方に突出する切り欠き部又は開口を設けたことを特徴とする弾球遊技機。
【手続補正２】
【補正対象書類名】明細書
【補正対象項目名】０００７
【補正方法】変更
【補正の内容】
【０００７】
本発明は、このような従来の問題点に鑑み、前枠に対する遊技盤の着脱時に、枠側ジョイント部と盤側ジョイント部とを介して前枠側と遊技盤側との電気系統を一括して容易且つ確実に着脱できると共に、盤側ジョイント部を保護できる弾球遊技機を提供することを目的とする。                                                      
【手続補正３】
【補正対象書類名】明細書
【補正対象項目名】０００８
【補正方法】変更
【補正の内容】
【０００８】
本発明は、遊技盤を前枠の遊技盤装着枠に着脱自在に装着し、前記遊技盤側と前記前枠側とをコネクタを介して電気的に接続するようにした弾球遊技機において、前側に枠側コネクタを有する枠側ジョイント部を前記前枠に設け、前記遊技盤の裏側に前記枠側ジョイント部に対応する盤側ジョイント部を設け、前記盤側ジョイント部に配置された基板の裏面に、前記遊技盤を前記遊技盤装着枠に対して着脱するときに前記枠側コネクタに着脱する盤側コネクタと、該盤側コネクタを盤側ハーネスに接続する中継コネクタとを設け、前記盤側ジョイント部を保護する保護カバーに、前記中継コネクタを含む前記基板を裏側から覆う基板保護部を設け、該基板保護部に、前記盤側コネクタが後方に突出する切り欠き部又は開口を設けたものである。
【手続補正４】
【補正対象書類名】明細書
【補正対象項目名】０００９
【補正方法】変更
【補正の内容】
【０００９】
本発明によれば、前枠に対する遊技盤の着脱時に、枠側ジョイント部と盤側ジョイント部とを介して前枠側と遊技盤側との電気系統を一括して容易且つ確実に着脱できると共に、盤側ジョイント部を保護できる利点がある。